(57)【特許請求の範囲】
【請求項１】
ブレを補正するブレ補正光学系と、
光を投光する発光部と、
前記発光部からの光を受光し、この受光位置を検出することによって、前記ブレ補正光学系の位置を検出する光位置検出部と、
前記発光部と前記光位置検出部のうちの一方が保持され、撮影時に突出し、非撮影時に引き込む移動筒と、
前記発光部と前記光位置検出部のうちの他方が保持された固定部と、
前記撮影時に前記移動筒を突出させて、前記発光部と前記光位置検出部との距離を長くする距離可変部を備えること、
を特徴とするレンズ鏡筒。
【請求項２】
請求項１に記載のレンズ鏡筒において、
前記発光部と前記光位置検出部との間に配置され、かつ、前記ブレ補正光学系に設けられ、前記発光部からの光の少なくとも一部が通過する光通過部を有する遮光部材を備え、
前記距離可変部は、前記移動筒の突出動作により、前記光通過部に立てた仮想垂線とこの光通過部に入射する入射光線とのなす角度を小さくすること、
を特徴とするレンズ鏡筒。
【請求項３】
請求項１又は請求項２に記載のレンズ鏡筒において、
前記距離可変部は、前記移動筒の引き込み動作により、前記発光部と前記光位置検出部との距離を短くすること、
を特徴とするレンズ鏡筒。
【請求項４】
請求項３に記載のレンズ鏡筒において、
前記移動筒が最も引き込んだときに、鏡筒全体が最も短くなること、
を特徴とするレンズ鏡筒。
【請求項５】
請求項１から請求項４までのいずれか１項に記載のレンズ鏡筒において、
前記距離可変部は、前記移動筒の沈胴動作により、前記発光部と前記光位置検出部との距離を可変すること、
を特徴とするレンズ鏡筒。
【請求項６】
請求項１から請求項５までのいずれか１項に記載のレンズ鏡筒において、
前記移動筒は、最も引き込んだ位置から撮影可能位置まで突出し、この撮影可能位置からズーミング動作すること、
を特徴とするレンズ鏡筒。
【発明の詳細な説明】
【０００１】
【発明の属する技術分野】
本発明は、カメラなどにおける手ブレなどによる像ブレを補正するレンズ鏡筒に関するものである。
【０００２】
【従来の技術】
従来より、撮影者の手ブレなどにより、撮影時にカメラが振動することによって生ずる像ブレを補正するブレ補正装置が知られている。このブレ補正装置は、手ブレなどによるカメラの振動を検出し、ブレ検出信号を出力するブレ検出部と、撮影光学系の少なくとも一部を構成し、撮影光軸（以下、光軸という）と直交する面内においてレンズ鏡筒に対して浮動的に移動し、この光軸を変化させて像面のブレを補正するブレ補正光学系と、このブレ補正光学系のレンズ鏡筒に対する相対的な位置を検出し、位置検出信号を出力する位置検出部と、この位置検出信号をフィードバックすることによりブレ検出信号を修正し、ブレ補正に必要な光軸変更のための補正量を演算する演算部と、この補正量に応じてブレ補正光学系を駆動制御する駆動部などからなる。
【０００３】
図３は、従来のブレ補正装置のブロック図である。図４は、従来のブレ補正装置における位置検出部を示す断面図である。
なお、以下では、カメラに搭載されたブレ補正装置に位置検出装置を適用した例を挙げて説明する。
ブレ補正装置１は、撮影レンズの一部又は撮影レンズ全体を光軸と直交する面内において移動させることによって光軸を変化させ、撮影時におけるカメラの手ブレなどにより生ずる像面のブレを補正する装置である。このブレ補正装置１は、図３に示すように、ブレ検出回路３０と、ＣＰＵ３と、モータ駆動回路１３と、モータ１４ａ，１４ｂと、ブレ補正レンズ１０と、位置検出装置２０ａ，２０ｂと、位置検出処理回路１５などからなる。
【０００４】
ブレ検出回路３０は、カメラの手ブレなどによる振動を検出し、ブレ情報をＣＰＵ３に出力する回路である。ブレ検出回路３０は、例えば、２つの角速度センサなどを用いることによって、それぞれｘ方向、ｙ方向の手ブレなどにより生じた角速度を検出する。
【０００５】
ＣＰＵ３は、ブレ検出回路３０から出力されたブレ情報及び位置検出処理回路１５から出力された現在位置情報に基づいて、ブレ補正量を演算するワンチップマイクロコンピュータである。ＣＰＵ３は、モータ１４ａ，１４ｂを駆動するために、このブレ補正量に応じた駆動信号をモータ駆動回路１３に出力する。
【０００６】
モータ１４ａ，１４ｂは、ブレ補正レンズ１０を駆動するためのモータである。モータ１４ａ，１４ｂは、モータ駆動回路１３からの出力信号に基づいて、ブレ補正レンズ１０を駆動する。
【０００７】
ブレ補正レンズ１０は、図４に示すように、光軸Ｉと直交する面内（図中ｘｙ方向）を二次元的に移動することによってブレを補正し、撮影光学系の一部を構成するレンズ又は撮影レンズ全体を構成するレンズである。
【０００８】
ブレ補正レンズ枠１１は、ブレ補正レンズ１０を保持するための枠である。ブレ補正レンズ枠１１は、その内周部において、ブレ補正レンズ１０の外周部を固定するとともに、スリット板５２を一体的に取り付けている。ブレ補正レンズ１０は、発光ダイオード（以下、ＬＥＤという）５１からスリット板５２に投光された光が、１次元のＰＳＤ５４により受光されることによって、その移動位置が検出される。
【０００９】
位置検出処理回路１５は、図３に示すように、位置検出装置２０ａ，２０ｂから出力された位置検出情報に基づいて、ブレ補正レンズ１０の現在の位置を現在位置情報としてＣＰＵ３に出力する回路である。
【００１０】
位置検出装置２０ａ，２０ｂは、ブレ補正レンズ１０のｘ軸方向、ｙ軸方向の位置を検出し、位置検出処理回路１５に位置検出情報を出力する装置である。この位置検出装置２０ａ，２０ｂは、ｘ軸方向とｙ軸方向のそれぞれの軸について、１つづつ設置されており、ブレ補正レンズ１０のｘｙ平面内における位置を検出する。なお、位置検出装置２０ａ，２０ｂは、いずれも同一構造であり、位置検出装置２０ａを図４にしたがって説明する。
【００１１】
位置検出装置２０ａは、天板２１ａに取り付けられ、光を投光する発光ダイオード（以下、ＬＥＤという）５１と、固定部材２１ｂに取り付けられ、スポット状の光の位置を検出する一次元の位置検出素子（Ｐｏｓｉｔｉｏｎ  Ｓｅｎｓｉｔｉｖｅ  Ｄｅｖｉｃｅ：半導体位置検出素子）（以下、ＰＳＤという）５４と、ブレ補正レンズ枠１１に取り付けられ、ｙ軸方向に長孔（スリット孔）５２ａが形成されたスリット板５２などからなる。
【００１２】
スリット板５２は、シャープなスポット状の光を作り出す光束限定部材としての役割と、ブレ補正レンズ１０のような移動する物体に追従して、ＰＳＤ５４への光の入射位置を変化させる役割とを担う部材である。スリット板５２は、ＬＥＤ５１とＰＳＤ５４との間に配置されており、ＰＳＤ５４と平行な位置関係を維持しつつ、ブレ補正レンズ１０と一体となってｘ軸方向（図中Ａ方向）に所定の範囲内で移動する。
【００１３】
ＰＳＤ５４は、受光面５４ａ上におけるスポット状の光の位置を検出するものであり、受光面５４ａに投影される光の像は、なるべくシャープであることが望ましい。ＰＳＤ５４とＬＥＤ５１との位置関係は、位置検出時においては固定であり一定距離を保っている。
【００１４】
この位置検出装置は、ｘ軸方向に移動するスリット板５２のスリット孔５２ａを介して、ＰＳＤ５４の受光面５４ａにＬＥＤ５１から光を投光している。通常、１次元ＰＳＤ５４は、図４に示すように、２つの信号Ｉ１，Ｉ２を出力する。位置検出装置は、この出力値を演算することによって、ＰＳＤ５４に入射する光束のｘ軸方向における重心位置を検出しており、この重心位置に基づいて、ブレ補正レンズ１０の位置を検出している。ＣＰＵ３は、位置検出装置が検出したブレ補正レンズ１０の位置と演算したブレ補正量とに基づいて、ブレ補正レンズ１０を駆動制御し、このブレ補正レンズ１０がブレを補正する。
【００１５】
【発明が解決しようとする課題】
以下に、従来の位置検出装置におけるＬＥＤ５１とＰＳＤ５４との相対的な位置と、ＰＳＤ５４に入射する光束の検出位置との関係を説明する。
図５は、従来のブレ補正装置における位置検出部においてＬＥＤとＰＳＤの相対的な位置関係を変えたときにＰＳＤに入射する光束の重心位置の変化を模式的に示す図である。
図５において、距離Ｄ１L （Ｄ１S ）は、Ａ点（Ｂ点）に位置づけられているＬＥＤ５１と受光面５４ａとの間の長さである。図５に示すように、距離Ｄ１L は、距離Ｄ１S よりも大きい。また、光束ＬL （ＬS ）は、Ａ点（Ｂ点）に位置づけられているＬＥＤ５１から出射し、スリット孔５２ａを通過して、受光面５４ａに入射する光束である。Ｏ点は、ＰＳＤ５４の検出方向の中心位置である。スリット孔位置ｘは、Ｏ点からスリット孔５２ａの中心位置が移動した距離（移動量）である。検出位置ＰL （ＰS ）は、Ｏ点からＰＳＤ５４の受光面５４ａ上における光束ＬL （ＬS ）の重心までの距離である。仮想垂線Ｎは、スリット板５２（受光面５４ａ）に垂直であって、スリット孔５２ａの中心に立てた直線でる。入射角度αL （αS ）は、ＬＥＤ５１がＡ点（Ｂ点）に位置づけられているときに、スリット孔５２ａの中心に入射する光束（入射光線）と仮想垂線Ｎとがなす角度である。
【００１６】
図５に示すように、検出位置ＰL と検出位置ＰS とは一致せず、スリット孔位置ｘと検出位置ＰL ，ＰS も一致しない。特に、ＬＥＤ５１とＰＳＤ５４との位置関係がより近いときには、入射角度αS は、入射角度αL よりも大きくなり、検出位置ＰS とスリット孔位置ｘとの誤差は、顕著である。このような位置検出装置によってスリット孔位置ｘを求めようとすると、実際のスリット孔位置ｘと検出位置ＰL ，ＰS とは一致しない。そして、スリット孔位置ｘと検出位置ＰL ，ＰS との誤差は、スリット板５２の移動量に比例して大きくなり、スリット孔位置ｘが大きいほど、また、ＬＥＤ５１とＰＳＤ５４との距離が短いほど大きくなる。
【００１７】
図６は、従来のブレ補正装置における位置検出部においてスリット孔位置に対する入射光の重心位置を示すグラフである。
図６において、横軸は、スリット孔位置ｘであり、縦軸は、ＰＳＤ５４の出力信号に基づいて、ＰＳＤ５４に入射した光束の重心位置を演算した結果である。実線ＰL は、図５に示すＡ点にＬＥＤ５１が位置づけられたときの演算結果であり、実線ＰS は、Ｂ点にＬＥＤ５１が位置づけられたときの演算結果である。なお、原点Ｏは、ＰＳＤ５４の検出方向の中心位置であり、破線は、スリット孔５２ａの中心位置を表している。
【００１８】
図６に示すように、ＰＳＤ５４の出力による各検出位置ＰL ，ＰS とスリット孔位置ｘとは一致していない。そして、ＰＳＤ５４の中心に対するスリット孔位置ｘが大きいほど、また、ＬＥＤ５１とＰＳＤ５４との距離が短いほど、スリット孔位置ｘと各検出位置ＰL ，ＰS との誤差が大きいのがわかる。
【００１９】
また、スリット孔位置ｘと各検出位置ＰL ，ＰS との間の誤差は、スリットの移動量に比例して大きくなり、スリット孔位置ｘがある範囲よりも大きくなると、入射光がＰＳＤ５４の受光面５４ａから外れてしまう。このために、スリット孔位置ｘがこの範囲をオーバーすると、図６に示すように、スリット板５２の動きに対するＰＳＤ５４の出力による位置演算結果が比例せずに歪んでしまう。つまり、ＰＳＤ５４による検出位置ＰL ，ＰS がスリット板５２の動きに対して比例関係にある範囲が狭まり、位置検出が可能な範囲は、スリット孔位置ｘが小さい場合（移動量が小さい場合）に限られてしまう。この範囲は、ＰＳＤ５４とスリット板５２との距離が短いほど狭まる傾向にある。このように、スリット板５２を用いた位置検出装置では、位置検出が可能なスリット板５２の有効ストロークは、ＰＳＤ５４とＬＥＤ５１との距離が小さいほど小さくなってしまうという問題があった。
【００２０】
さらに、ＬＥＤ５１をＰＳＤ５４に位置的に近づけたときには、従来の位置検出装置は、光源の発光プロフィールの影響を多分に受けるなど、結果的に位置演算結果のリニアリティー低下を招いてしまう。このように、ＬＥＤ５１とＰＳＤ５４の相対位置関係を小さくしたときには、スリット板５２の有効ストロークが短かくなり、かつ、ＰＳＤ５４による検出位置ＰL ，ＰS と実際のブレ補正レンズ１０の位置との誤差が大きくなっていた。その結果、ブレ補正レンズ１０の位置検出精度が低下し、ブレ補正を正確に行えないという問題があった。
【００２１】
一方、このような問題点は、ＬＥＤ５１とスリット板５２の距離を大きくすることによって軽減することができる。しかし、ＬＥＤ５１とスリット板５２の距離を大きくすると、位置検出装置が大型化し、ブレ補正ユニットの大型化を招き、結果としてカメラが大型化してしまうという問題があった。コンパクト化が強く要求されるカメラにおいては、ＬＥＤ５１とＰＳＤ５４の距離は、小型化のために設計上少しでも小さくする必要がある。特に、光学系を保持する鏡筒が沈胴するタイプのカメラにおいては、ブレ補正時に設けなければならないＬＥＤ５１とＰＳＤ５４との間のスペースは、鏡筒が沈胴したときに、カメラの小型化を図るための制約となっていた。
【００２２】
本発明の課題は、ブレ補正を正確に行うことができ、かつ、カメラの小型化を図ることができるレンズ鏡筒を提供することである。
【００２３】
【課題を解決するための手段】
本発明は、以下のような解決手段により、前記課題を解決する。なお、理解を容易にするために、本発明の実施形態に対応する符号を付して説明するが、これに限定されるものではない。
すなわち、請求項１の発明は、ブレを補正するブレ補正光学系（１０）と、光を投光する発光部（５１）と、前記発光部からの光を受光し、この受光位置（ＰL ，ＰS ）を検出することによって、前記ブレ補正光学系の位置を検出する光位置検出部（５４）と、前記発光部と前記光位置検出部のうちの一方が保持され、撮影時に突出し、非撮影時に引き込む移動筒（５）と、前記発光部と前記光位置検出部のうちの他方が保持された固定部（１６）と、前記撮影時に前記移動筒を突出させて、前記発光部と前記光位置検出部との距離を長くする距離可変部（５ａ）を備えることを特徴とするレンズ鏡筒である。
【００２４】
請求項２の発明は、請求項１に記載のレンズ鏡筒において、前記発光部と前記光位置検出部との間に配置され、かつ、前記ブレ補正光学系に設けられ、前記発光部からの光の少なくとも一部が通過する光通過部（５２ａ）を有する遮光部材（５２）を備え、前記距離可変部は、前記移動筒の突出動作により、前記光透過部に立てた仮想垂線（Ｎ）とこの光通過部に入射する入射光線（ＬL ，ＬS ）とのなす角度（αL ，αS ）を小さくすることを特徴とするレンズ鏡筒である。
【００２５】
請求項３の発明は、請求項１又は請求項２に記載のレンズ鏡筒において、前記距離可変部は、前記移動筒の引き込み動作により、前記発光部と前記光位置検出部との距離を短くすることを特徴とするレンズ鏡筒である。
【００２６】
請求項４の発明は、請求項３に記載のレンズ鏡筒において、前記移動筒が最も引き込んだときに、鏡筒全体が最も短くなることを特徴としているレンズ鏡筒である。
【００２７】
請求項５の発明は、請求項１から請求項４までのいずれか１項に記載のレンズ鏡筒において、前記距離可変部は、前記移動筒の沈胴動作により、前記発光部と前記光位置検出部との距離を可変することを特徴とするレンズ鏡筒である。
【００２８】
請求項６の発明は、請求項１から請求項５までのいずれか１項に記載のレンズ鏡筒において、前記移動筒は、最も引き込んだ位置から撮影可能位置まで突出し、この撮影可能位置からズーミング動作することを特徴としているレンズ鏡筒である。
【００３２】
【発明の実施の形態】
（第１実施形態）
以下、図面を参照して、本発明の第１実施形態について、さらに詳しく説明する。
図１は、本発明の第１実施形態に係るブレ補正装置を搭載したカメラを示す断面図であり、図１（Ａ）は、沈胴状態から移動筒が繰り出した状態を示す断面図であり、図１（Ｂ）は、撮影準備状態から移動筒が繰り込んだ状態を示す断面図である。図２は、本発明の第１実施形態に係るブレ補正装置を搭載したレンズ鏡筒を示す断面図である。
なお、以下の説明において、図３から図５までに示した部材と同一の部材は、同一の番号を付して説明し、その部材の詳細な説明については省略する。
【００３３】
本発明の第１実施形態に係るブレ補正装置１２は、スリット孔５２ａを介して受光面５４ａ上に光を投光するＬＥＤ５１と、受光面５４ａ上における光の位置を検出するＰＳＤ５４と、ブレ補正レンズ１０と、このブレ補正レンズ１０を保持するブレ補正レンズ枠１１と、光軸Ｉと直交する図中ｙ軸方向にこのブレ補正レンズ１０を駆動するモータ１４ｂと、このブレ補正レンズ枠１１に取り付けられたスリット板５２などからなるユニット化された装置である。なお、モータ１４ｂは、ブレ補正レンズ１０を図中ｙ方向に駆動し、ＰＳＤ５４は、ブレ補正レンズ１０のｙ軸方向の位置を検出するが、ブレ補正レンズ１０をｘ軸方向に駆動するモータと、ｘ軸方向における位置を検出するＰＳＤは、図示を省略する。
【００３４】
本発明の第１実施形態に係るブレ補正装置１２を搭載したカメラは、カメラボディ２と、このカメラボディ２に一体的に取り付けられた固定筒４とからなり、第１撮影レンズ６を保持する移動筒５が沈胴動作をする機能を備えたカメラである。
【００３５】
固定筒４は、光軸Ｉ方向に移動筒５を移動自在に支持する部材である。固定筒４は、その内周部において移動筒５の外周部を移動自在に支持している。固定筒４は、撮影時及び非撮影時のいずれにおいても移動しない。
【００３６】
移動筒５は、光軸Ｉ方向にのみ移動して繰り出し及び繰り込み動作をするとともに、ブレ補正レンズ１０を含む撮影光学系を保持する部材である。移動筒５の内周部には、ホルダ７が取り付けられ固定されている。
【００３７】
駆動機構部５ａは、固定筒４と移動筒５との間に設けられており、固定筒４に対して移動筒５を光軸Ｉ方向に駆動するための機構である。この駆動機構部５ａは、例えば、カム溝と、このカム溝に移動自在に嵌め込まれたピンとからなるカム機構や、雄ヘリコイドねじ部と、この雄ヘリコイドねじ部に噛み合う雌ヘリコイドねじ部などからなる機構である。
【００３８】
ホルダ７は、第１撮影レンズ６を固定するための枠部材である。ホルダ７の内周部には、第１撮影レンズ６の外周部が嵌め込まれ固定されている。ホルダ７は、図２に示すように、ブレ補正レンズ１０と対向する側の面にＬＥＤ５１を取り付けている。
【００３９】
基板１６は、モータ１４ｂ、ＰＳＤ５４などを保持する円環状の部材である。基板１６は、図２に示すように、取付部材１６ａを介して固定筒４の内周部に取り付けられている。
【００４０】
つぎに、本発明の第１実施形態に係るレンズ鏡筒の動作を繰り出し動作と繰り込み動作とに分けて説明する。
（繰り出し動作）
図１（Ｂ）に示す沈胴状態から図中ａ方向に、駆動機構部５ａによって移動筒５が繰り出す。移動筒５は、この移動筒５に固定したホルダー７とともに繰り出し動作を行うために、ＬＥＤ５１は、移動筒５の繰り出し動作に追従して光軸Ｉ方向に移動する。固定筒４は、基板１６を介してＰＳＤ５４を固定しているために、ＬＥＤ５１は、移動筒５の繰り出し動作とともにＰＳＤ５４から遠ざかる。このために、図１（Ａ）に示す撮影状態又は撮影準備状態においては、図５に示すように、ＰＳＤ５４とＬＥＤ５１の相対距離が長くなり、入射角度αL が０度に近づき小さくなる。その結果、スリット孔位置ｘと検出位置ＰL との誤差が小さくなり、ブレ補正レンズ１０の位置検出精度が向上して、精度のよいブレ補正が可能となる。
【００４１】
（繰り込み動作）
図１（Ａ）に示す撮影状態又は撮影準備状態から図中ｂ方向に、駆動機構部５ａによって移動筒５が繰り込む。ＬＥＤ５１は、移動筒５の繰り込み動作に追従して光軸Ｉ方向に移動し、ＰＳＤ５４に近づく。その結果、図１（Ｂ）に示す沈胴状態（非撮影状態）であるときには、ＰＳＤ５４とＬＥＤ５１の相対距離が短くなる。特に、移動筒５が最も繰り込んだ状態にあるときには、ＰＳＤ５４とＬＥＤ５１の距離が最小になり、レンズ鏡筒全体の長さが最も短くなり、カメラのコンパクト化を図ることができる。
【００４２】
本発明の第１実施形態に係るレンズ鏡筒は、ブレ補正時又はブレ補正を要求している時（撮影動作時又は撮影準備動作時）には、図１（Ａ）に示すように、移動筒５が繰り出して固定筒４から突出している。この状態では、ＰＳＤ５４とＬＥＤ５１の相対距離が長くなっているために、この相対距離を適当に保つことによって、ブレ補正レンズ１０の位置検出を高精度に行って、正確にブレを補正することができる。一方、非撮影時には、ブレ補正を要求していないために、ＰＳＤ５４とＬＥＤ５１の相対距離を、ブレ補正を高精度に行うために長くする必要がない。このために、ＰＳＤ５４とＬＥＤ５１の距離が不要となり、図１（Ｂ）に示すように、固定筒４内に移動筒５が引き込む。その結果、ＰＳＤ５４とＬＥＤ５１との間の不要なスペースを縮小することができ、撮影光学系をコンパクトに固定筒４内に収納してカメラの小型化を図ることができる。
【００４３】
（他の実施形態）
以上説明した実施形態に限定されることはなく、種々の変形や変更が可能であって、それらも本発明の均等の範囲内である。
例えば、本発明の第１実施形態に係るレンズ鏡筒は、沈胴状態から繰り出した移動筒５がこの繰り出し位置からさらにズーミング動作する構造であってもよい。この場合に、移動筒５は、図１（Ａ）に示すように、最も繰り込んだ位置（沈胴位置）から撮影可能位置（ワイド端）まで突出し、ズーミング動作によりワイド端からテレ端までさらに突出する。その結果、図１（Ａ）に示すように、ＰＳＤ５４とＬＥＤ５１の相対距離が十分に長い状態から、この相対距離がさらに長くなるように、移動筒５がズーミング動作するために、変倍撮影時におけるブレ補正を高精度に行うことができる。また、撮影光学系の少なくとも一部を構成するブレ補正レンズ１０及び／又はそれ以外のレンズは、ズーミング動作によって移動筒５とともに光軸Ｉ方向に移動してもよく、ＬＥＤ５１とＰＳＤ５４との距離を可変する構造のレンズ鏡筒であってもよい。
【００４４】
ＰＳＤ５４は、固定筒４側に取り付けられており、移動筒５の沈胴動作に連動して、ＬＥＤ５１の位置を変えているが、これに限定するものではない。ＰＳＤ５４に比べてＬＥＤ５１が軽量で小型なときには、ＬＥＤ５１を移動筒５側に取り付けて、移動筒５の駆動を低負荷で行うことができるが、例えば、移動筒５側にＰＳＤ５４を取り付けて、固定筒４側にＬＥＤ５１を取り付けてもよい。また、例えば、カム機構などによって、ＬＥＤ５１とＰＳＤ５４が互いに光軸Ｉ方向に移動可能であってもよい。さらに、ブレ補正レンズ１０とスリット板５２とが沈胴動作に連動して、光軸Ｉ方向に移動してもよい。
【００４５】
本発明の第１実施形態に係るレンズ鏡筒は、カメラボディ１と固定筒４とが一体のいわゆるコンパクトカメラを例に挙げて説明したが、固定筒４及び移動筒５がカメラボディ１に着脱自在の交換レンズであってもよい。また、ＬＥＤ５１とＰＳＤ５４との距離が離れているほど、ブレ補正レンズ１０の位置検出の精度を上げることができるが、この距離は十分な精度がだせる程度であればよい。さらに、スリット孔５２ａは、光を通過することができれば開口部を形成していない透過部などでもよく、ＰＳＤ５４は、２次元ＰＳＤであってもよい。
【００４６】
【発明の効果】
以上詳しく説明したように、本発明によれば、撮影時には、ブレ補正光学系の位置を高精度に検出してブレを正確に補正することができ、非撮影時には、発光部と光位置検出部との間の不要なスペースを縮小することができる。
【図面の簡単な説明】
【図１】本発明の第１実施形態に係るブレ補正装置を搭載したカメラを示す断面図である。
【図２】本発明の第１実施形態に係るブレ補正装置を搭載したレンズ鏡筒を示す断面図である。
【図３】従来のブレ補正装置のブロック図である。
【図４】従来のブレ補正装置における位置検出部を示す断面図である。
【図５】従来のブレ補正装置における位置検出部においてＬＥＤとＰＳＤの相対的な位置関係を変えたときにＰＳＤに入射する光束の重心位置の変化を模式的に示す図である。
【図６】従来のブレ補正装置における位置検出部においてスリット孔位置に対する入射光の重心位置を示すグラフである。
【符号の説明】
１，１２  ブレ補正装置
２  カメラボディ
４  固定筒
５  移動筒
５ａ  駆動機構部
１０  ブレ補正レンズ
１１  ブレ補正レンズ枠
１６  基板
２０ａ，２０ｂ  位置検出部
５１  ＬＥＤ
５２  スリット板
５２ａ  スリット孔
５４  ＰＳＤ
Ｉ  光軸
ＬL ，ＬS   光束
Ｎ  仮想垂線
ＰL ，ＰS   検出位置
ｘ  スリット孔位置
αL ，αS   入射角度
【図１】
0003867363.tif 000002
【図２】
0003867363.tif 000003
【図３】
0003867363.tif 000004
【図４】
0003867363.tif 000005
【図５】
0003867363.tif 000006
【図６】
0003867363.tif 000007